(57)【要約】【課題】  容易かつ安全に出し入れできるととともに、少ないスペースで出し入れ可能なＣＤ等板状ディスク２の収納ケース１を提供する。【解決手段】ＣＤ２等の板状のディスクを収納する収納ケースであって、その上面にディスク２を保持した状態で、かつディスク平面方向を挿入・挿出方向として移動可能なスライド部材１１と、前記スライド部材１１を収納する収納空間を設けたケース本体１２とからなり、前記ケース本体１２の収納空間には前記スライド部材１１をその挿出方向に押圧する第１の押圧部材と、前記第１の押圧部材に抗して前記スライド部材１１をケース本体に仮固定するロック手段と、前記ケース本体の外部からの操作により前記ロック手段を解除する解除手段１４とを備えている。【選択図】  図１
2005225527.tif 000002
【特許請求の範囲】
【請求項１】
ＣＤ等の板状のディスクを収納する収納ケースであって、
その上面にディスクを保持した状態で、かつディスク平面方向を挿入・挿出方向として移動可能なスライド部材と、
前記スライド部材を収納する収納空間を設けたケース本体とからなり、
前記ケース本体の収納空間には前記スライド部材をその挿出方向に押圧する第１の押圧部材と、
前記第１の押圧部材に抗して前記スライド部材をケース本体に仮固定するロック手段と、
前記ケース本体の外部からの操作により前記ロック手段を解除する解除手段とを備えていることを特徴とする収納ケース。
【請求項２】
前記ロック手段は、前記スライド部材に設けられた切り欠き部と、この切り欠き部と掛かり合う固定部と、掛かり合った切り欠き部と固定部とを押圧し仮固定する第２の押圧部材と、を備えていることを特徴とする請求項１に記載の収納ケース。
【請求項３】
前記解除手段は、前記ロック手段の固定部の一端に操作釦の操作面として形成されており、該操作釦の操作面が前記押圧状態において前記ケース本体の外壁面と面一状態となるように配置されていることを特徴とする請求項１又は請求項２に記載の収納ケース。
【請求項４】
前記ケース本体は、ディスクの側部に対向する複数の側壁部を備えており、前記開口部は、側壁部に設けられていることを特徴とする請求項１から請求項３のいずれかに記載の収納ケース。
【請求項５】
前記ケース本体は、前記スライド部材を挿入、挿出する際のガイドとなるガイドレールを備えていることを特徴とする請求項１から請求項４のいずれかに記載の収納ケース。
【請求項６】
前記スライド部材の第１の押圧部材と反対側の端部は、前記ケース本体の収納空間を閉塞する蓋部が前記スライド部材と一体に形成されていることを特徴とする請求項１から請求項５のいずれかに記載の収納ケース。
【請求項７】
前記第１の押圧部材と第２の押圧部材のうち少なくともいずれか一方は、弾性部材であることを特徴とする請求項２から請求項６のいずれかに記載の収納ケース。
【請求項８】
前記ケース本体とスライド部材のうち少なくともケース本体は、透明な部材で形成されていることを特徴とする請求項１から請求項７のいずれかに記載の収納ケース。
【発明の詳細な説明】
【技術分野】
【０００１】
本発明は、コンパクトディスク（以下「ＣＤ」とする）、ＤＶＤ等板状のディスクの収納ケースに関するものである。
【背景技術】
【０００２】
従来、例えばＣＤなど板状の収納ケースとしては、図８に示すような収納ケース１００が用いられている。この収納ケース１００は、方形のケース本体１０１と、このケース本体１０１内にてＣＤを保持しつつ収納する方形の内枠１０２と、この内枠１０２のヘッド部１０２ａに１辺が回動自在に枢着された蓋体１０３とから構成されている。この収納ケース１００は、前記内枠１０２と蓋体１０３が軸受部１０４を軸として回動自在に枢着されており、蓋体１０３をケース本体１０１に対して回動させることにより、開口を形成し、ＣＤを出し入れする（特許文献１参照）。
【０００３】
しかし、収納ケース１００を開閉させる際には、ケース本体１０１に対して蓋体１０３を回動させなければならないため、一方の手でケース本体１０１を押さえ、他方の手で蓋体１０３を保持し、両方の手を用いて行わなければならない。また、ＣＤ等の収納ケースは、外から内容物を黙視できるよう透明な材質で形成されていることが多く、このような透明な収納ケースでは、開閉作業に適する手の配置位置がわかりにくいことがあり、開閉作業を行いにくいことが多々あった。さらに、この収納ケース１００を開閉する際には、蓋体１０３は前記軸受部１０４を軸として回動するため円弧を描くように移動する。そのため、ＣＤを出し入れする際には、多くのスペースを要しており、ＣＤを出し入れする場所に制限を伴うこともあった。
【０００４】
また、このような多くのスペースを要さないＣＤの収納ケース２００として、例えば、図９に示すものが挙げられる。この収納ケース２００は、側面に開口部２０１を備えＣＤをスロットイン式で収容可能なケース本体２０２と、ケース本体２０２の内面両側に設けたテーパー溝２０３と、ケース本体２０２内部側面に設けＣＤを固定するストッパー２０４と、ケース本体２０２の中央部から開口部２０１縁に達する切り口２０５と、を備えている（特許文献２参照）。
【０００５】
この収納ケース２００は、ケース本体２０２の開口部２０１から挿入されたＣＤをテーパー溝２０３に沿って収納することができる。そして、収納されたＣＤは、ストッパー２０４にてケース本体２０２内に固定されるため、ＣＤの表面を傷つけることなく収納可能である。また、ケース本体２０２からＣＤを抜き出す場合は、ＣＤの中心孔に指を入れ前記ケース本体２０２の側板の中央部から開口部２０１に達する切り口２０５にそって引き抜く。すなわち、この収納ケースによれば、ケース本体２０２にＣＤを出し入れする際は、ＣＤを差し込む、あるいは抜き出す操作がそれぞれ一つの動作で出来、従来の蓋を開けＣＤ１０を取り出すという二つの動作にくらべて素早く行う事ができるという効果が得られる。
【０００６】
しかし、この収納ケース２００によっても前記収納ケース１００と同様に、ＣＤを出し入れする際には、ケース本体２０２を固定してＣＤを差し込み或いは抜き出さなければならない。すなわち、一方の手でケース本体２０２を保持し、他方の手でＣＤを保持しなければならず、両方の手を用いてＣＤを出し入れしなければならなかった。また、直接ＣＤをテーパー溝２０３に沿わせて出し入れするため、操作ミス等によってＣＤの表面を傷つけてしまう恐れもあった。
【特許文献１】特開２００３−０５４６７４号公報
【特許文献２】特開２００３−２３７８７３号公報
【発明の開示】
【発明が解決しようとする課題】
【０００７】
本発明は、このような問題を鑑みて成されたものであり、容易かつ安全に出し入れできるととともに、少ないスペースで出し入れ可能なＣＤ等板状ディスクの収納ケースを提供することを技術的課題とする。
【課題を解決するための手段】
【０００８】
本発明に係る収納ケースは、前述の技術的課題を解決するために以下のように構成されている。この収納ケースは、ＣＤ等の板状のディスクを収納する収納ケースであって、その上面にディスクを保持した状態で、かつディスク平面方向を挿入・挿出方向として移動可能なスライド部材と、前記スライド部材を収納する収納空間を設けたケース本体とからなり、前記ケース本体の収納空間には前記スライド部材をその挿出方向に押圧する第１の押圧部材と、前記第１の押圧部材に抗して前記スライド部材をケース本体に仮固定するロック手段と、前記ケース本体の外部からの操作により前記ロック手段を解除する解除手段とを備えている。
【０００９】
本発明に係る収納ケースは、前記ロック手段によってディスクを保持したスライド部材をケース本体に仮固定している。その際に前記第１の押圧部材は、ケース本体からスライド部材を挿出方向にスライド部材を押圧している。スライド部材をケース本体から挿出する際には、前記解除部によってロック手段の仮固定を解除する。これにより、第１の押圧部材の押圧によって、スライド部材はケース本体から挿出される。一方、スライド部材をケース本体に収納する際には、前記第１の押圧部材に抗して前記スライド部材をケース本体に手等で挿入して、ロック手段によってスライド部材をケース本体に仮固定する。このロック手段は、スライド部材をケース本体に固定できれるものであれば良く、種々の構成とすることができる。例えば、一方の方向に挿入可能で、逆の方向に挿出されないラチェット機構が挙げられる。
【００１０】
すなわち、本発明は前記第１の押圧部材によってスライド部材をケース本体から挿出方向に押圧しているため、ロック手段によってスライド部材をケース本体に仮固定し、解除部によってその仮固定を解除することのみにより、第１の押圧部材の押圧によりスライド部材を挿出することができる。そのため、従来と比較して作業が容易となる。また、従来両手で操作していたディスクの出し入れを片手でも操作することが可能となり、作業の利便性も向上させることができる。さらに、スライド部材は平面方向を挿入・挿出方向としているため、スライド部材とケース本体は一定方向にスライドして挿入、挿出される。従って、ケース本体に対するスライド部材の移動軌跡は直線上となり、ディスクの出し入れに要するスペースを少なくすることが可能となる。加えて、スライド部材は、その上面にディスクを保持した状態で移動するため、スライド部材がディスクを保護する役割を果たし、ディスクを安全に収納することができる。
【００１１】
また、本発明に係る収納ケースのロック手段は、前記スライド部材に設けられた切り欠き部と、この切り欠き部と掛かり合う固定部と、掛かり合った切り欠き部と固定部とを押圧し仮固定する第２の押圧部材と、を備えていることを特徴としても良い。前記構成によれば、スライド部材をケース本体に仮固定するには、前記切り欠き部と固定部とを掛かり合わせ、この掛かり合った切り欠き部と固定部とを第２の押圧部材によって仮固定することができる。一方、仮固定を解除する際には、第２の押圧部材を元の方向に押圧し、解除することができる。このようなロック手段とすることにより、容易にスライド部材とケース本体の仮固定及び解除を行うことができる。
【００１２】
また、本発明に係る収納ケースのケース本体は、前記解除部を操作する穴部を備えていることが望ましい。前記解除部は、スライド部材とケース本体の仮固定を解除するものであり、この解除によってスライド部材がケース本体から挿出される。解除部は、仮固定を解除できる構成であれば良く、種々の構成とすることができる。例えば、ロック手段に第２の押圧部材が備えられている場合には、スライド部材を押圧している第２の押圧部材を逆方向に押圧し、仮固定を解除するように押圧箇所を設ける構成が例示できる。この解除部は人の操作等外力を付加して操作するため、ケース本体の外周面に設けることが望ましい。一方、ロック手段は、ケース本体とスライド部材を仮固定するため、ケース本体内に設けることが望ましい。また、このロック手段を連動させる解除部は、ケース本体内の固定部と係合していなければならない。そのため、ケース本体に解除部を操作するための穴部を設けることが望ましく、この構成により、ケース本体の外から内部に配置されたロック手段の操作を行うことが可能となる。
【００１３】
加えて、本発明に係る収納ケースの解除手段は、前記ロック手段の固定部の一端に操作釦の操作面として形成されており、該操作釦の操作面が前記押圧状態において前記ケース本体の外壁面と面一状態となるように配置されていることを特徴とすることが望ましい。本発明は、前記構成により、操作釦の操作面がケース本体の外壁面と面一状態となるため、ケース本体の外壁面に突起部が無く、見栄えよく収納ケースを重ねることが可能となり、ユーザのスペースユーティリティも確保できる。
【００１４】
さらに、本発明に前記ケース本体は、ディスクの側部に対向する複数の側壁部を備えており、前記開口部は、この側壁部に設けられていることを特徴とすることが望ましい。本発明に係る収納ケースは、ケース本体の開口部方向に第１の押圧部材が機能し、スライド部材を押圧しケース本体から挿出させるため、この挿出方向は、開口部の配置によって定まる。ケース本体の側壁部に開口部を設けることにより、スライド部材の挿出方向は、ディスクの表裏面に沿った方向となる。ここで本発明に係る収納ケースは、板状のディスクを保持するため、その外形を小さく形成すると必然的に板状となる。このような外形の収納ケースを片手で操作しようとすると、立設するのではなく、広い面を有する面を下にして配置した方が安定性が良い。前記スライド部材の挿出方向をディスクの表裏面に沿った方向にすることにより、収納ケースが安定した状態でディスクを出し入れすることができる。また、スライド部材がケース本体から挿出した状態で、ディスクの表裏面を可視可能とすることができるため、通常表裏面に表記されているディスクの内容を容易に認識することが可能となり好適である。
【００１５】
また、本発明に係る収納ケースのスライド部材の保持部は、ディスクの表裏面に対向する底部と、この底部にディスクを仮固定する爪部と、を備えていることを特徴としても良い。スライド部材が前記底部を有しており、この底部にディスクを爪部で固定することができるため、傷つきやすいディスクの表裏面を保護した状態でディスクの出し入れをすることが可能となる。
【００１６】
さらに、本発明に係る収納ケースは、前記ケース本体には、前記スライド部材を挿入、挿出する際のガイドとなるガイドレールが設けられていることを特徴とすることが望ましい。前記スライド部材は、第１の押圧部材の押圧によってケース本体から挿出される。その際は、通常、ケース本体の内面に沿ってスライド部材が挿出される。しかし、例えば、ケース本体とスライド部材との間に隙間がある場合には、ケース本体から挿出する際に、ケース本体の内面に衝突してしまうことが考えられる。また、スライド部材をケース本体に挿入する際には、手等でスライド部材を押してケース本体に挿入する。このスライド部材を押す方向は、操作者の感覚によるものであり、適宜な方向へスライド部材が押されないことも考えられる。このような場合に、前記ガイドレールを設けることにより、適宜な
方向へスライド部材の挿入及び挿出を導くことが可能となる。このガイドレールは、種々の構成とすることができるが、例えば、スライド部材とケース本体の互いの当接面に挿入及び挿出方向に延出する凹凸部を設け、この凹凸を噛み合わせた状態でスライド部材を挿入及び挿出させる構成が挙げられる。また、例えば、スライド部材の側部の厚みと、ケース本体の収納空間の大きさを略同形にし、互いを摺動させた状態でスライド部材を挿入、挿出させる構成が挙げられる。
【００１７】
加えて、本発明に係る収納ケースのスライド部材の第１の押圧部材と反対側の端部は、前記ケース本体の収納空間を閉塞する蓋部が前記スライド部材と一体に形成されていることが望ましい。前述のようにディスクを保持したスライド部材は、ケース本体の開口部から挿入、挿出されており、ケース本体は、常にこの開口を有した状態である。しかし、スライド部材がケース本体に収納された状態で、開口を有していると、収納空間に塵埃等が侵入するおそれがある。さらに、流入した塵埃によって内部に収納されたディスク等の品質を劣化させてしまうおそれも生じる。そのため、ケース本体にスライド部材を収納した状態では、前記開口部を塞ぐことが望ましい。前記蓋部を設けることによりスライド部材の収納と共に開口部を塞ぐことができ、収納空間の閉塞性を保ち、塵埃等の侵入を抑止して収納されるディスクの品質を長期間にわたって維持することができる。また、蓋部がスライド部材と一体に形成されているため少ない部品点数で収納ケースを構成することができる。この蓋部は、ケース本体の開口と略同形に形成して開口部を塞ぐように構成しても良いし、開口部より大きく形成し、開口部を塞ぐと共に、スライド部材をケース本体に収納する際に開口部端面と当接してストッパーを兼ねるように構成しても良い。
【００１８】
また、本発明に係るの収納ケースの第１の押圧部材と第２の押圧部材のうち少なくともいずれか一方は、弾性部材であることが望ましい。前記第１及び第２の押圧部材は、押圧できるものであれば種々の部材を用いることができ、例えば、弾性部材、シリンダが挙げられる。しかし、弾性部材は、力が加えられたときにその力の働きで弾性変形し、もとの状態へ戻そうとする力（付勢力）が働くという弾性の性質を持っている物質であり、その構成は簡易なもので本発明に好適である。弾性部材としては、例えば、ゴム、バネ等が挙げられる。弾性部材を用いることにより、常に適宜の方向に押圧できるとともに、ケース本体とスライド部材との間に多少の隙間等が生じても、その隙間を吸収することができるため好適である。
【００１９】
加えて、本発明に係る収納ケースのケース本体とスライド部材のうち少なくともケース本体は、透明な部材で形成されていることが望ましい。少なくとも外側に位置するケース本体に透明な材質を採用することにより、収納ケースに収納した状態でケース本体の外部からディスクを容易に識別することが可能となる。例えば、透明プラスチックを例示できる。また、ケース本体と併せて、スライド部材も透明な材質としても良い。ケース本体とスライド部材共に透明な材質を採用することにより、ディスクを識別し易くなるだけでなく、透明な部材で全体を統一し美観を生じさせ視覚において楽しませることも可能となる。
【発明の効果】
【００２０】
以上説明したように本発明に係る収納ケースによれば、収納されたディスクを容易に出し入れすることができる。また、ディスクの収納に際し要するスペースを少なくすることができるため、使用場所の制限が少なく、種々の場所で好適に使用することが可能となる。
【発明を実施するための最良の形態】
【００２１】
以下、図面を参照して、本発明の最良の実施形態を詳細に説明する。本実施の形態に係る収納ケース１は、ＣＤ２を収納する収納ケース１であり、開放時と閉鎖時の斜視図を図
１及び図２に示す。この収納ケース１は、ＣＤ２を保持する保持部を備えたスライド部材１１と、このスライド部材１１を収納するケース本体１２と、前記スライド部材１１の挿入位置でスライド部材１１をケース本体１２に仮固定するロック手段と解除部とを兼ねた操作釦１４と、スライド部材１１を開口部方向に押圧する第１の押圧部材１３と、を備えている。
【００２２】
本実施の形態に係る収納ケースは、ＡＢＳ（アクリル・ブタジエン・スチレン共重合）樹脂性を用いて射出成形によって成形した。このＡＢＳ樹脂は、スチレンにアクリロニトリルとブタジエンを三重合体した素材である。このＡＢＳ樹脂は、熱、衝撃に強く、耐久性が高い。そのため、ＣＤを外部の衝撃から保護することができるとともに、長期間使用することが可能である。尚、本実施の形態では、ＡＢＳ樹脂を用いたが、本発明に係る収納ケースは、種々の材質を用いることができ、例えば、アクリル樹脂、ポリプロピレン、ポリスエチレン、アクリロニトリルスチレン樹脂、塩化ビニル樹脂を挙げられる。例えば、前記ＡＢＳ樹脂は、不透明であり収納したＣＤを可視することはできない。しかし、透明度が高いアクリル樹脂を用いることにより、収納ケース全体を透明に形成することが可能となる。
【００２３】
図３は、スライド部材１１の斜視図である。このスライド部材１１は、ＣＤ２を保持する略正方形の底部１１ａとＣＤ２を底部１１ａに仮固定する爪部１１ｄとからなる保持部と、前記底部１１ａの一辺から立設しケース本体１２の開口部１２ａを塞ぐ蓋部１１ｂと、この蓋部１１ｂと対向する底部１１ａの一辺に設けられ第１スプリング１３の押圧を受ける受動部１１ｃと、を有している。前記爪部１１ｄは、前記底部１１ａに三つ立設されており、ＣＤ２の中心孔と掛り合う。この爪部１１ｄによってＣＤ２は底部１１ａに仮固定される。この底部１１ａの爪部１１ｄは、上方に向かって拡開しており、各爪部１１ｄは、力を加えることによりＣＤ２の中心方向に可動する。そのため、ＣＤ２を底部１１ａから取り外す際には、ＣＤ２を底部１１ａから引き上げることにより、爪部１１ｄが中心方向に可動し、底部１１ａとの仮固定を解除することができる。
【００２４】
前記スライド部材１１の蓋部１１ｂは、同図に示すように、スライド部材１１と一体に設けられている。そして、ケース本体１２の開口部１２ａより大きく形成されており、スライド部材１１がケース本体１２に収納された状態で、前記開口部１２ａを閉塞する。この蓋部１１ｂが設けられていることにより、ケース本体１２内に水分や塵挨等の雑物が入るのを防ぐことができ、収納されたＣＤ２を保護することができるため、ＣＤ２の記録面の水分や塵挨による劣化を防止できる。また、蓋部１１ｂはスライド部材１１と一体成形されているため、収納ケースの部品点数を増加させることがない。さらに、スライド部材１１をケース本体１２に収納した状態で、ケース本体１２の開口部１２ａの端面と当接しストッパーの役割を兼ねている。前記受動部１１ｃは、前記蓋部１１ｂに対向する底部１１ａの一辺に設けられており、中央とその両端に３つの切り欠き部１１ｅ，１１ｆ，１１ｇを有している。中央の切り欠き部１１ｅは、後述する操作釦１４と係合する。中央の切り欠き部１１ｅの両端に配置された切り欠き部１１ｆ，１１ｇは、前記第１スプリング１３の付勢力を受ける（図４参照）。
【００２５】
図５は、前記ケース本体１２の斜視図である。このケース本体１２は、前記スライド部材１１の略全体を覆う略矩形であり、二枚の壁部１２ｂと、この壁部１２ｂ間に配置された四枚の側壁部１２ｃからなる。この側壁部１２ｃのうち一の側壁部には、前記スライド部材１１の出入口となる開口部１２ａが設けられている。また、一の壁部には、操作釦１４を操作するための穴部１２ｄが設けられており、収納ケース１の外側から操作釦１４を操作することができる。また、この穴部１２ｄに隣接して保護板１２ｇが立設されており、操作釦１４を操作する際のケース本体１２の変形と操作釦１４のずれを防止することができる。
【００２６】
前記穴部１２ｄと対向する壁部１２ｂには、第２スプリング１５を配置するための第２固定部材１２ｈが設けられ、開口部１２ａと対向する側壁部の内面には、前記第１スプリング１３を固定するための第１固定部材１２ｅが設けられている。これら固定部材１２ｅ，１２ｈによって第１及び第２スプリング１３，１５をケース本体１２内に固定することができる。また、開口部１２ａが設けられた側壁部と隣接した側壁部の内面には、前記スライド部材１１をガイドするためのガイドレール１２ｆが設けられている。このガイドレール１２ｆは、ケース本体１２を構成する側壁部の内面に設けられた凹部であり、この凹部に底部１１ａの側部が貫入される。ガイドレール１２ｆは、開口部１２ａを有する側壁部に隣接した二つの側壁部にスライド部材１１の挿入、挿出方向に沿って形成されており、前記スライド部材１１の底部１１ａを狭持している。そのため、スライド部材１１の挿入、挿出はガイドレール１２ｆに沿った状態となり、円滑にスライド部材１１を挿入、挿出することができる。
【００２７】
次いで、図６に操作釦１４の概略図を示す。この操作釦１４は、内部に中空部を備えた楕円柱形の解除部１４ａと、この解除部１４ａの下端から延出したつば状の固定部１４ｂと、を有している。この解除部１４ａの端面は操作面として形成されており、図１に示すように、ケース本体１２の壁部に設けられた穴部１２ｄから露出された状態となっている。このとき、操作釦１４の操作面は前記ケース本体１２の壁部の表面と面一状態となるように配置されているため、収納ケース１を上下に重ね合わせることが可能である。
そして、この操作釦１４は、前述した、スライド部材１１の切り欠き部１１ｅと、第２スプリング１５と、ロック手段を構成する。前記解除部１４ａの中空部には、前記第２スプリング１５が係合している。前記解除部１４ａの上端は、前記ケース本体１２の穴部１２ｄに配置されている。固定部１４ｂは、外周に向かって下方に傾斜しており、スライド部材１１の受動部１１ｃに形成された切り欠き部１１ｅと係合する。この係合した状態を第２スプリング１５が付勢することにより、スライド部材１１とケース本体１２は仮固定される。一方、スライド部材１１とケース本体１２との仮固定を解除する際には、前記解除部１４ａを下方に押圧する。解除部１４ａを下方に押圧することにより、解除部１４ａの中空部に配置された第２スプリング１５が圧縮され、操作釦１４全体が下方に移動する。これにより、固定部１４ｂと切り欠き部１１ｅとの係合が外れる。そして、前記第１スプリング１３の付勢力により、スライド部材１１はケース本体１２から挿出される。
【００２８】
次いで、このスライド部材１１とケース本体１２が仮固定される状態を詳細に説明する。図７は、スライド部材１１とケース本体１２が仮固定される過程を操作釦１４の断面図と平面図で示した図である。図７（ａ）は、ケース本体１２にスライド部材１１を挿入した図であり、スライド部材１１の先端が操作釦１４と係合する部分まで挿入されていない状態である。このとき、スライド部材１１は、操作釦１４と係合していないため、操作釦１４の位置は移動しない。図７（ｂ）は、スライド部材１１の先端と操作釦１４の固定部１４ｂが係合している。スライド部材１１が固定部１４ｂの傾斜面に沿って挿入することに伴い、操作釦１４は、第２スプリング１５を圧縮し下方に移動する。
【００２９】
図７（ｃ）は、スライド部材１１の先端が操作釦１４の中心位置まで挿入した図であり、第２スプリング１５は更に圧縮され、操作釦１４は更に下方に位置する。図７（ｄ）は、スライド部材１１が更に挿入され、切り欠き部１１ｅに操作釦１４が配置された状態である。切り欠き部１１ｅは、操作釦１４より大きく形成されており、スライド部材１１がこの位置まで挿入されると、スライド部材１１と操作釦１４の固定部１４ｂは係合せず、第２スプリング１５が付勢し、操作釦１４が上方に移動する。この状態では、スライド部材１１とケース本体１２は、操作釦１４を介して仮固定されており、スライド部材１１がケース本体１２から挿出されない。
【００３０】
次いで、このように構成された収納ケースの使用方法について詳細に説明する。まず、収納ケース１にＣＤ２を収納するために収納ケース１を開放する際には、ケース本体１２の穴部１２ｄに配置された操作釦１４を押圧する。この押圧により第２スプリング１５が圧縮され、操作釦１４は下方に移動する。この操作釦１４の移動により、操作釦１４の固定部１４ｂとスライド部材１１の切り欠き部１１ｅとの係合が外れ、スライド部材１１とケース本体１２の仮固定は解除される。一方、ケース本体１２内に固定された第１スプリング１３は、スライド部材１１の受動部１１ｃを開口部１２ａ方向に常に付勢している。この第１スプリング１３の付勢力により、スライド部材１１はケース本体１２から挿出される。このとき、スライド部材１１は、ケース本体１２のガイドレール１２ｆに沿って移動する。このようにして、スライド部材１１がケース本体１２から挿出され、ＣＤ２をスライド部材１１の底部１１ａに収めることができる。
【００３１】
一方、ＣＤ２を保持したスライド部材１１をケース本体１２に収納する際は、第１スプリング１３に抗してスライド部材１１の蓋部１１ｂをケース本体１２に挿入する方向に押す。ケース本体１２にスライド部材１１が挿入に伴い、スライド部材１１の受動部１１ｃの後面に配置された第１スプリング１３は圧縮される。そして、スライド部材１１の挿入が進行すると、スライド部材１１の受動部１１ｃに形成された切り欠き部１１ｅと操作釦１４の固定部１４ｂが係合し、スライド部材１１はケース本体１２内に仮固定される。このとき、ケース本体１２の開口部１２ａは、スライド部材１１の蓋部１１ｂによって閉塞される。このようにして、ＣＤを容易かつ安全に収納することができる。
【００３２】
以上のように、本実施の形態に係る収納ケースによれば、簡易な操作で容易にＣＤ２を収納ケース１から出し入れすることができる。また、その操作は片手で行うことができる。さらに、収納ケース１を開口させる操作釦１４が、収納ケース１の外面に設けられているため、複数枚重ね合わせた状態でも、出し入れを操作することが可能となる。また、その操作釦１４の操作面が収納ケース１の外壁面と面一状態となるように配置されているため、見栄えよく収納ケースを複数枚重ね合わせておくことが可能である。
【図面の簡単な説明】
【００３３】
【図１】本実施の形態に係る収納ケースの斜視図である（開放時）。
【図２】本実施の形態に係る収納ケースの斜視図である（閉鎖時）。
【図３】収納ケースを構成するスライド部材の斜視図である。
【図４】収納ケースのスライド部材の受動部の部分拡大図である。
【図５】収納ケースを構成するケース本体の斜視図である。
【図６】収納ケースの操作釦の部分拡大図である。
【図７】スライド部材とケース本体の仮固定の説明図である。
【図８】従来のＣＤケースの斜視図である。
【図９】従来のＣＤケースの斜視図である。
【符号の説明】
【００３４】
１  収納ケース
２  ＣＤ
１１  スライド部材
１２  ケース本体
１３  第１スプリング
１４  操作釦
１５  第２スプリング
１００  ＣＤケース
１０１  ケース本体
１０２  内枠
１０２ａ  ヘッド部
１０３  蓋体
１０４  軸受部
２００  ＣＤケース
２０１  スロットイン挿入口
２０２  ＣＤケース本体
２０３  テーパー溝
２０４  ストッパー
２０５  切り口
【図１】
2005225527.tif 000003
【図２】
2005225527.tif 000004
【図３】
2005225527.tif 000005
【図４】
2005225527.tif 000006
【図５】
2005225527.tif 000007
【図６】
2005225527.tif 000008
【図７】
2005225527.tif 000009
【図８】
2005225527.tif 000010
【図９】
2005225527.tif 000011